【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
一方の面側に、符号情報が記録される符号情報記録層を有し、他方の面側に、可視情報が記録され、前記符号情報記録層よりも記録密度が低い可視情報記録層を有する光情報記録媒体であって、
前記可視情報記録層を有する面側に、該可視情報記録層への記録を許可するか否かを判別可能な文字列又はマークが付与されていることを特徴とする光情報記録媒体。
【請求項２】
一方の面側に、符号情報が記録される符号情報記録層を有し、他方の面側に、可視情報が記録され、前記符号情報記録層とは構成及び／又は材料が異なる可視情報記録層を有する光情報記録媒体であって、
前記可視情報記録層を有する面側に、該可視情報記録層への記録を許可するか否かを判別可能な文字列又はマークが付与されていることを特徴とする光情報記録媒体。
【請求項３】
前記マークがバーコードであることを特徴とする請求項１または２に記載の光情報記録媒体。
【請求項４】
前記可視情報記録層が色素記録層であることを特徴とする請求項１から３のいずれか１項に記載の光情報記録媒体。
【請求項５】
前記可視情報記録層の層厚が０．１〜２００μｍであることを特徴とする請求項１から４のいずれか１項に記載の光情報記録媒体。
【請求項６】
一方の面側に、符号情報が記録される符号情報記録層を有し、他方の面側に、可視情報が記録される可視情報記録層を有し、該可視情報記録層への可視情報の記録を許可するか否かを判別可能な文字列又はマークが前記他方の面側に付与されている光情報記録媒体への可視情報記録方法であって、
前記文字列又はマークを読み取り、可視情報記録層への記録を許可するステップと、
前記可視情報記録層への記録を行うステップと、
を有することを特徴とする可視情報記録方法。
【請求項７】
前記文字列又はマークの代わりに、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店または販売者情報、使用セット番号情報、地域指定情報、言語指定情報、用途指定情報、製品使用者情報、使用番号情報を使用することを特徴とする請求項６に記載の可視情報記録方法。
【請求項８】
前記マークがバーコードであることを特徴とする請求項７に記載の可視情報記録方法。
【請求項９】
判別された文字列又はマークが可視情報記録層に記録を許可する文字列又はマークである場合においてのみ記録を許可し、それ以外の場合は記録を行わないことを特徴とする請求項７または８に記載の可視情報記録方法。
【請求項１０】
レーザー光を射出するレーザーピックアップと、光情報記録媒体を回転させる回転機構とを少なくとも有する記録装置であって、
前記光情報記録媒体の可視情報記録層側に付与された文字列又はマークを認識する機能、及び該機能により認識された文字列又はマークに基づき、可視情報記録層への記録を許可するか否かを判別する機能を有し、
前記可視情報記録層への可視情報の記録に際し、前記文字列又はマークに基づき、前記可視情報記録層への記録を許可すると判別したときのみ、前記可視情報記録層に可視情報を記録することを特徴とする記録装置。
【請求項１１】
さらに、前記光情報記録媒体の符合情報記録層に記録する機能を有することを特徴とする請求項１０に記載の記録装置。
【手続補正２】
【補正対象書類名】明細書
【補正対象項目名】発明の名称
【補正方法】変更
【補正の内容】
【発明の名称】光情報記録媒体及び可視情報記録方法並びに記録装置
【手続補正３】
【補正対象書類名】明細書
【補正対象項目名】０００１
【補正方法】変更
【補正の内容】
【０００１】
本発明は、光情報記録媒体に関し、特に、記録面とは反対側の面に可視情報を記録することができる光情報記録媒体及び該光情報記録媒体への可視情報記録方法、並びに記録装置に関する。
【手続補正４】
【補正対象書類名】明細書
【補正対象項目名】０００９
【補正方法】変更
【補正の内容】
【０００９】
本発明は、以上の従来の問題点に鑑みなされたものであり、以下の目的を達成することを課題とする。即ち、
本発明の目的は、基板の一方の面側に、符号情報記録層を有し、他方の面側に可視情報記録層を有する光情報記録媒体において、可視情報記録層への記録を所定の条件下においてのみ許可することができる光情報記録媒体及び該光情報記録媒体への可視情報記録方法、並びに前記光情報記録媒体に可視情報の記録が可能な記録装置を提供することにある。
【手続補正５】
【補正対象書類名】明細書
【補正対象項目名】００１０
【補正方法】変更
【補正の内容】
【００１０】
前記課題を解決する手段は以下の通りである。即ち、
＜１＞  一方の面側に、符号情報が記録される符号情報記録層を有し、他方の面側に、可視情報が記録され、前記符号情報記録層よりも記録密度が低い可視情報記録層を有する光情報記録媒体であって、前記可視情報記録層を有する面側に、該可視情報記録層への記録を許可するか否かを判別可能な文字列又はマークが付与されていることを特徴とする光情報記録媒体である。
＜２＞  一方の面側に、符号情報が記録される符号情報記録層を有し、他方の面側に、可視情報が記録され、前記符号情報記録層とは構成及び／又は材料が異なる可視情報記録層を有する光情報記録媒体であって、
前記可視情報記録層を有する面側に、該可視情報記録層への記録を許可するか否かを判別可能な文字列又はマークが付与されていることを特徴とする光情報記録媒体である。
＜３＞  前記マークがバーコードであることを特徴とする前記＜１＞または＜２＞に記載の光情報記録媒体である。
＜４＞  前記可視情報記録層が色素記録層であることを特徴とする前記＜１＞から＜３＞のいずれかに記載の光情報記録媒体である。
＜５＞  前記可視情報記録層の層厚が０．１〜２００μｍであることを特徴とする請求項１から４のいずれかに記載の光情報記録媒体である。
【手続補正６】
【補正対象書類名】明細書
【補正対象項目名】００１１
【補正方法】変更
【補正の内容】
【００１１】
＜６＞  一方の面側に、符号情報が記録される符号情報記録層を有し、他方の面側に、可視情報が記録される可視情報記録層を有し、該可視情報記録層への可視情報の記録を許可するか否かを判別可能な文字列又はマークが前記他方の面側に付与されている光情報記録媒体への可視情報記録方法であって、
前記文字列又はマークを読み取り、可視情報記録層への記録を許可するステップと、
前記可視情報記録層への記録を行うステップと、
を有することを特徴とする可視情報記録方法である。
＜７＞  前記文字列又はマークの代わりに、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店または販売者情報、使用セット番号情報、地域指定情報、言語指定情報、用途指定情報、製品使用者情報、使用番号情報を使用することを特徴とする前記＜６＞に記載の可視情報記録方法である。
＜８＞  前記マークがバーコードであることを特徴とする前記＜７＞に記載の可視情報記録方法である。
＜９＞  判別された文字列又はマークが可視情報記録層に記録を許可する文字列又はマークである場合においてのみ記録を許可し、それ以外の場合は記録を行わないことを特徴とする前記＜７＞または＜８＞に記載の可視情報記録方法である。
【手続補正７】
【補正対象書類名】明細書
【補正対象項目名】００１２
【補正方法】変更
【補正の内容】
【００１２】
＜１０＞  レーザー光を射出するレーザーピックアップと、光情報記録媒体を回転させる回転機構とを少なくとも有する記録装置であって、
前記光情報記録媒体の可視情報記録層側に付与された文字列又はマークを認識する機能、及び該機能により認識された文字列又はマークに基づき、可視情報記録層への記録を許可するか否かを判別する機能を有し、
前記可視情報記録層への可視情報の記録に際し、前記文字列又はマークに基づき、前記可視情報記録層への記録を許可すると判別したときのみ、前記可視情報記録層に可視情報を記録することを特徴とする記録装置である。
＜１１＞  さらに、前記光情報記録媒体の符合情報記録層に記録する機能を有することを特徴とする前記＜１０＞に記載の記録装置である。
【手続補正８】
【補正対象書類名】明細書
【補正対象項目名】００１３
【補正方法】変更
【補正の内容】
【００１３】
本発明によれば、基板の一方の面側に、符号情報記録層を有し、他方の面側に可視情報記録層を有する光情報記録媒体において、可視情報記録層への記録を所定の条件下においてのみ許可することができる光情報記録媒体及び該光情報記録媒体への可視情報記録方法、並びに前記光情報記録媒体に可視情報の記録が可能な記録装置を提供することができる。
【手続補正９】
【補正対象書類名】明細書
【補正対象項目名】００１４
【補正方法】変更
【補正の内容】
【００１４】
本発明の光情報記録媒体は、一方の面側に、符号情報が記録される符号情報記録層を有し、他方の面側に、可視情報が記録され、前記符号情報記録層よりも記録密度が低い可視情報記録層を有する光情報記録媒体であって、前記可視情報記録層を有する面側に、該可視情報記録層への記録を許可するか否かを判別可能な文字列又はマークが付与されていることを特徴としている。
また、本発明の光情報記録媒体は、別の態様によると、一方の面側に、符号情報が記録される符号情報記録層を有し、他方の面側に、可視情報が記録され、前記符号情報記録層とは構成及び／又は材料が異なる可視情報記録層を有する光情報記録媒体であって、前記可視情報記録層を有する面側に、該可視情報記録層への記録を許可するか否かを判別可能な文字列又はマークが付与されていることを特徴としている。ここで、前記構成とは、層構成、形状、フォーマットなど物理的な事項を指す。
また、本発明の可視情報記録方法は、一方の面側に、符号情報が記録される符号情報記録層を有し、他方の面側に、可視情報が記録される可視情報記録層を有し、該可視情報記録層への可視情報の記録を許可するか否かを判別可能な文字列又はマークが前記他方の面側に付与されている光情報記録媒体への可視情報記録方法であって、前記文字列又はマークを読み取り、可視情報記録層への記録を許可するステップと、前記可視情報記録層への記録を行うステップと、を有することを特徴としている。
また、本発明の記録装置は、レーザー光を射出するレーザーピックアップと、光情報記録媒体を回転させる回転機構とを少なくとも有する記録装置であって、前記光情報記録媒体の可視情報記録層側に付与された文字列又はマークを認識する機能、及び該機能により認識された文字列又はマークに基づき、可視情報記録層への記録を許可するか否かを判別する機能を有し、前記可視情報記録層への可視情報の記録に際し、前記文字列又はマークに基づき、前記可視情報記録層への記録を許可すると判別したときのみ、前記可視情報記録層に可視情報を記録することを特徴としている。
以下、本発明の光情報記録媒体及び可視情報記録方法並びに記録装置について説明する。
【手続補正１０】
【補正対象書類名】明細書
【補正対象項目名】００１６
【補正方法】変更
【補正の内容】
【００１６】
本発明の光情報記録媒体の層構成としては、例えば、以下の構成が挙げられる。
（１）第１の層構成は、基板上に、符号情報記録層、反射層、接着層を順次形成し、接着層上に可視情報記録層、ダミー基板を設ける構成である。
（２）第２の層構成は、基板上に、符号情報記録層、反射層、保護層、接着層を順次形成し、接着層上に可視情報記録層、ダミー基板を設ける構成である。
（３）第３の層構成は、基板上に、符号情報記録層、反射層、保護層、接着層、保護層を順次形成し、該保護層上に可視情報記録層、ダミー基板を設ける構成である。
（４）第４の層構成は、基板上に、符号情報記録層、反射層、保護層、接着層、保護層、反射層を順次形成し、該反射層上に可視情報記録層、ダミー基板を設ける構成である。
（５）第５の層構成は、基板上に、符号情報記録層、反射層、接着層、反射層を順次形成し、該反射層上に可視情報記録層、ダミー基板を設ける構成である。
なお、上記（１）〜（５）の層構成は単なる例示であり、当該層構成は上述の順番のみでなく、一部を入れ替えてもよい。また、一部を省略してもかまわない。さらに、各層は１層で構成されても複数層で構成されてもよい。
以下、基板及び各層について説明する。
【手続補正１１】
【補正対象書類名】明細書
【補正対象項目名】００５５
【補正方法】変更
【補正の内容】
【００５５】
［可視情報記録方法］
本発明の可視情報記録方法は、前記本発明の光情報記録媒体と、少なくとも該光情報記録媒体の可視情報記録層への可視情報の記録、及び前記可視情報記録層の文字列又はマークを判別が可能な記録装置とを用いて行う。以下、本発明方法に係る記録装置について説明する。
【手続補正１２】
【補正対象書類名】明細書
【補正対象項目名】００５９
【補正方法】変更
【補正の内容】
【００５９】
本発明の可視情報記録方法による符号情報記録層への符号情報の記録について説明する。符号情報記録層が色素型の場合、まず、未記録の前述の光情報記録媒体を所定の記録線速度にて回転させながら、レーザーピックアップからレーザー光を照射する。この照射光により、符号情報記録層の色素がその光を吸収して局所的に温度上昇し、所望の空隙（ピット）が生成してその光学特性が変わることにより情報が記録される。